(57)【要約】【課題】コンタクトガラス及びその上流側、下流側の原稿ガイド部材と原稿抑え板との間に形成される搬送隙間を通過する原稿の搬送速度を常に一定に保ち、画像の品質低下を防ぐことができる画像読取装置を提供する。【解決手段】画像読取部１の上に自動原稿給送部２が載置され、自動原稿給送部２により給送され、画像読取部１のコンタクトガラス８上を通過する原稿をその通過過程で読み取る画像読取装置において、コンタクトガラス８上方の自動原稿給送部２に設けた原稿抑え板１３とコンタクトガラス８及びその上流側、下流側の原稿ガイド部材１２間に形成される搬送隙間を調整する隙間調整機構(規制部材１４が側板１５に遊嵌されて構成される)を設けた。【選択図】図４
2007110547.tif 000002
【特許請求の範囲】
【請求項１】
画像読取部の上に自動原稿給送部が載置され、自動原稿給送部により給送され、画像読取部のコンタクトガラス上を通過する原稿をその通過過程で読み取る画像読取装置において、コンタクトガラス上方の自動原稿給送部に設けた原稿抑え板とコンタクトガラス及びその上流側、下流側の原稿ガイド部材間に形成される搬送隙間を調整する隙間調整機構を設けたことを特徴とする画像読取装置。
【請求項２】
請求項１記載の画像読取装置において、隙間調整機構は、原稿抑え板の長手方向両端に取り付けられた規制部材と、規制部材が遊嵌保持される一対の側板を有することを特徴とする画像読取装置。
【請求項３】
請求項１記載の画像読取装置において、隙間調整機構は、原稿抑え板の長手方向両端に取り付けられた規制部材と、規制部材を原稿搬送方向上流側と下流側に揺動するよう、両規制部材間に取り付けた駆動軸を有することを特徴とする画像読取装置。
【発明の詳細な説明】
【技術分野】
【０００１】
本発明は、画像読取部の上に自動原稿給送部が載置された画像読取装置に関する。
【背景技術】
【０００２】
ファクシミリや複写機等の画像形成装置において、自動原稿給送部により給送され、画像読取部のコンタクトガラス上を通過する原稿をその通過過程で読み取るシートスルー読取方式の画像読取装置が知られている。
上記の画像読取装置においては、原稿の画像面をコンタクトガラス上面に押圧するために、コンタクトガラス上方に原稿抑え板を設け、コンタクトガラスと原稿抑え板との隙間量を一定間隔に保ち原稿画像の走査を行うような構成となっている。
従来、コンタクトガラス上の読取位置へ原稿を案内するための搬送ガイドは、装置の組み付け時に、あらかじめ金型などで位置寸法が固定されている。従って、コンタクトガラスと原稿抑え板との隙間量は常に一定幅に保たれる。
ところで上記シートスルー読取方式の画像読取装置において、原稿画像を正確に読み取るには、原稿の搬送速度と、その読取速度とが完全に一致した状態が理想の読取状態となる。一般には搬送隙間を狭めると搬送速度は安定する。
【発明の開示】
【発明が解決しようとする課題】
【０００３】
しかし、紙厚や紙の先端部/後端部通過時においては一概に搬送隙間を狭くしても搬送速度が安定するとはいえず、実際には原稿のコシの強弱により搬送速度が微妙に変化してしまうことがある。搬送速度が安定しないと、画像に様々な影響を与え、画像品質を低下させる原因となる。
本発明は、コンタクトガラス及びその上流側、下流側の原稿ガイド部材と原稿抑え板との間に形成される搬送隙間を通過する原稿の搬送速度を常に一定に保ち、画像の品質低下を防ぐことができる画像読取装置を提供することを目的とする。
【課題を解決するための手段】
【０００４】
上記目的を達成するために、請求項１記載の発明は、画像読取部の上に自動原稿給送部が載置され、自動原稿給送部により給送され、画像読取部のコンタクトガラス上を通過する原稿をその通過過程で読み取る画像読取装置において、コンタクトガラス上方の自動原稿給送部に設けた原稿抑え板とコンタクトガラス及びその上流側、下流側の原稿ガイド部材間に形成される搬送隙間を調整する隙間調整機構を設けた画像読取装置を最も主要な特徴とする。
請求項２記載の発明は、請求項１記載の画像読取装置において、隙間調整機構は、原稿抑え板の長手方向両端に取り付けられた規制部材と、規制部材が遊嵌保持される一対の側板を有する画像読取装置を主要な特徴とする。
請求項３記載の発明は、請求項１記載の画像読取装置において、隙間調整機構は、原稿抑え板の長手方向両端に取り付けられた規制部材と、規制部材を原稿搬送方向上流側と下流側に揺動するよう、両規制部材間に取り付けた駆動軸を有する画像読取装置を主要な特徴とする。
【発明の効果】
【０００５】
本発明は、画像読取部の上に自動原稿給送部が載置され、自動原稿給送部により給送され、画像読取部のコンタクトガラス上を通過する原稿をその通過過程で読み取る画像読取装置において、コンタクトガラス上方の自動原稿給送部に設けた原稿抑え板とコンタクトガラス及びその上流側、下流側の原稿ガイド部材間に形成される搬送隙間を調整する隙間調整機構を設けたので、搬送隙間を通過する原稿の搬送速度を常に一定に保ち、画像の品質低下を防ぐことができる。
【発明を実施するための最良の形態】
【０００６】
以下、本発明の実施形態を図面に従って説明する。
図１は本発明の実施形態に係る画像読取装置の全体構成図である。本画像読取装置では、画像読取部１の上に自動原稿給送部２が載置されている。
自動原稿給送部２の原稿テーブル３上に収容された原稿は、給紙部材４、分離部材５を経て１枚に分離され、搬送ローラ６、入口ローラ７により、画像読取部１側のコンタクトガラス８の上に搬送される。そしてコンタクトガラス８の上を通過する過程で下向きの原稿画像が、画像読取部１の図示しない読取手段で読み取られる。その後、原稿は出口ローラ９、排紙ローラ１０により搬送され、排紙トレイ１１内に排紙される。なお、この画像読取装置の全体構成自体は周知であり、本発明と直接関係ないので、詳細な説明は省略する。
図２は本発明の実施形態に係る画像読取装置において、自動原稿給送部を開放した状態の斜視図である。画像読取部１側にあってコンタトクトガラス８の前後には原稿ガイド部材１２が設けられる。また、自動原稿給送部２側には、コンタクトガラス８と対向して原稿抑え板１３が設けられる。また原稿抑え板１３の前後両側面には、規制部材１４が一体的に設けられる。なお、原稿ガイド部材１２と原稿抑え板１３、規制部材１４について、以下詳細に説明する。
図３は原稿抑え板位置調整機構の第１の実施例を示す斜視図である。原稿抑え板１３の手前側端面には手前側規制部材１４−１、原稿抑え板１３の奥側端面には奥側規制部材１４−２が、原稿抑え板１３の長手方向に対して直角に設けられる。
規制部材１４は一対の側板１５(手前側側板１５−１、奥側側板１５−２)に保持される。規制部材１４には嵌合穴１６(手前側嵌合穴１６−１、奥側嵌合穴１６−２)が形成される。両側板１５の対向面には夫々軸１７(手前側軸１７−１、奥側軸１７−２)が内側に突出形成される。嵌合穴１６に軸１７が嵌合されることで、規制部材１４は側板１５に係止される。このとき、嵌合穴１６の寸法が軸１７の径より大きく設定されることで、嵌合穴１６に軸１７が遊嵌されることになる。軸と嵌合穴が逆の関係でもよい。
【０００７】
図４は原稿抑え板位置調整機構の第１の実施例を示す正面図である。コンタクトガラス８の原稿搬送方向上流側と下流側には上流側原稿ガイド部材１２−１と下流側原稿ガイド部材１２−２が設けられる。コンタクトガラス８及びその前後の原稿ガイド部材１２と原稿抑え板１３は、所定の微小間隔(搬送隙間)を保って対面する。
ここで原稿抑え板位置調整機構は、規制部材１４、側板１５、嵌合穴１６、軸１７によって構成される。
画像読取装置に設けられた原稿抑え板１３（規制部材１４）とが、画像読取装置を閉じることにより本体に設けられたコンタクトガラス８と原稿ガイド部材１２とに近接する。この時、規制部材１４は図示しないバネによりコンタクトガラス８上面に向けて加圧される構成となっており、画像読取装置自身の重量で軸を中心にして規制部材１４が移動し位置決め可能な構成となっている。従来の画像読取装置においては、規制部材の位置決めは画像読取装置の自重にのみよっていたが、本発明では部品寸法誤差や画像読取装置と本体との取り付け誤差が無い場合は画像品質に最適と考えられる搬送隙間を確保することが出来るが、誤差があった場合に最適な搬送隙間を確保することができない。
そこで、本発明では、この規制部材を画像読取装置自身の重量で移動させるだけでなく、その後に最適な隙間量になるよう規制部材１４を移動可能としている。
即ち、上述したように、本発明では、嵌合穴１６に軸１７が遊嵌されるので、規制部材１４は前後方向(両矢印ＡＢ方向)に移動可能となっている。また上下方向にも移動可能となっている。従って規制部材１４と一体の原稿抑え板１３も移動可能である。回動方向へも移動可能である。
薄い原稿を検知した場合には(検知機構は周知であるので説明は省略する)、原稿抑え板１３（規制部材１４）をＡ側に移動して、上流側原稿ガイド部材１２−１と原稿抑え板１３との間に形成される上流側の搬送隙間を狭め確実に画像を読み取る。逆に厚い原稿を検知した場合には、規制部材１４をＢ側に移動して、上流側原稿ガイド部材１２−１と原稿抑え板１３との間に形成される上流側の搬送隙間を広くし、確実に画像を読み取る。
また、上流側原稿ガイド部材１２−１と原稿抑え板１３の搬送隙間に原稿先端が進入する際は、原稿抑え板１３（規制部材１４）をＢ側へ移動させて搬送隙間を広げ、ジャムを防止する。この状態では、原稿後端が下流側原稿ガイド部材１２−２と原稿抑え板１３の搬送隙間を抜けるときは、搬送隙間が狭まっているので確実に画像を読み取ることができる。
【０００８】
図５は原稿抑え板位置調整機構の第２の実施例を示す斜視図である。両規制部材１４−１、１４−２の間に駆動軸２１が掛け渡されている。駆動軸２１にはプーリ２２の軸心部が一体的に取り付けられており、ステッピングモータ２３（或いは、ソレノイド）の駆動力が駆動伝達ベルト２４を介してプーリ２２に伝達されるようになっている。即ち、規制部材１４は(従って原稿抑え板１３は)、駆動軸２１を中心として両矢印ＣＤ方向に揺動し、入口側の搬送隙間と出口側の搬送隙間を変えることができる。
ここで原稿抑え板位置調整機構は、規制部材１４、駆動軸２１、プーリ２２、ステッピングモータ２３、駆動伝達ベルト２４によって構成される。
なお、上記各実施形態において原稿の位置は読取り部前後に配置されたセンサにより検知し、この検知信号に基づいて制御部が対象物を制御する。
また、原稿の厚さは、手動により入力したり、光学センサにより検知するようにする。
【図面の簡単な説明】
【０００９】
【図１】本発明の実施形態に係る画像読取装置の全体構成図である。
【図２】本発明の実施形態に係る画像読取装置において、自動原稿給送部を開放した状態の斜視図である。
【図３】原稿抑え板位置調整機構の第１の実施例を示す斜視図である。
【図４】原稿抑え板位置調整機構の第１の実施例を示す正面図である。
【図５】原稿抑え板位置調整機構の第２の実施例を示す斜視図である。
【符号の説明】
【００１０】
１  画像読取部
２  自動原稿搬送部
８  コンタクトガラス
１２  原稿ガイド部材
１２−１  上流側原稿ガイド部材
１２−２  下流側原稿ガイド部材
１３  原稿抑え板
１４  規制部材
【図１】
2007110547.tif 000003
【図２】
2007110547.tif 000004
【図３】
2007110547.tif 000005
【図４】
2007110547.tif 000006
【図５】
2007110547.tif 000007